(57)【要約】【課題】  構造を複雑にすることなく水上の軌道に沿って走行体を走行させることができる興趣に富んだ水上玩具を提供する。更に、水上に浮遊する本体にスクリューやファン等の可動手段を備える必要がなく、本体に設けられた軌道を走行体が走行することによって、本体が興味深い動きをする水上玩具を提供する。【解決手段】  軌道部を有し、水上に浮遊する軌道本体と、駆動源を内蔵し、該駆動源の駆動力により前記軌道部に沿って走行する走行体とからなる。前記軌道本体が環状である。前記軌道本体が分割可能に形成される。【選択図】  図１
2005118297.tif 000002
【特許請求の範囲】
【請求項１】
軌道部を有し、水上に浮遊する軌道本体と、駆動源を内蔵し、該駆動源の駆動力により前記軌道部に沿って走行する走行体とからなる水上玩具。
【請求項２】
前記軌道本体が、環状であることを特徴とする請求項１記載の水上玩具。
【請求項３】
前記軌道本体が、分割可能に形成されることを特徴とする請求項１又は２記載の水上玩具。
【請求項４】
前記軌道本体が、走行体の自重により水面に対して傾くことを特徴とする請求項１乃至３の何れかに記載の水上玩具。
【発明の詳細な説明】
【技術分野】
【０００１】
本発明は、お風呂やプール等で使用する水上玩具に関する。更には、水上に浮遊する軌道本体と走行体とからなる水上玩具に関する。
【背景技術】
【０００２】
従来の水上玩具としては、駆動源を有する本体が水上や水中を走行するタイプのものや、水上に停滞して浮遊する本体が駆動源によりシャワーや噴水を放出するタイプのものがほとんどであった。
また、水上に浮遊する軌道上で走行体がアクションを起こすタイプの水上玩具としては、軌道部としてスロープ及びラチェット式の階段を備え、前記軌道部を可動させる駆動源として手動ポンプ及びハイドロアクチュエータを備えた水上玩具が開示されている（特許文献１参照）。
【特許文献１】実開平７−４４４４３号公報
【発明の開示】
【発明が解決しようとする課題】
【０００３】
前記特許文献１で開示される水上玩具は、内部に設けられたフロートの浮力により浮遊する軌道を備えた本体内にラチェット式の階段を可動させるハイドロアクチュエータを備え、該ハイドロアクチュエータとホースを介して接続される手動ポンプを操作することで前記階段を可動できるので、電源（バッテリー）を使用することなく軌道上で走行体が動作を起こすことができる玩具である。しかし、本体内に複雑な装置を内蔵する必要があるので玩具全体が大きなものとなり重量が増加してしまうことや、ホース及び手動ポンプが玩具本体から飛び出した構造であるので、バランスが悪いものとなることがあった。また、前記玩具の本体は水上に浮遊した状態で維持され、動きを有するものではなかった。
【０００４】
本発明は、構造を複雑にすることなく水上の軌道に沿って走行体を走行させることができる興趣に富んだ水上玩具を提供するものである。更に、水上に浮遊する本体にスクリューやファン等の可動手段を備える必要がなく、本体に設けられた軌道を走行体が走行することによって、本体が興味深い動きをする水上玩具を提供するものである。
【課題を解決するための手段】
【０００５】
本発明の水上玩具は、軌道部を有し、水上に浮遊する軌道本体と、駆動源を内蔵し、該駆動源の駆動力により前記軌道部に沿って走行する走行体とからなることを要件とする。更に、前記軌道本体が環状であること、前記軌道本体が分割可能に形成されることを要件とする。更には、前記軌道本体が、走行体の自重により水面に対して傾くことを要件とする。
【０００６】
本発明の請求項１の水上玩具は、少なくとも水上に浮遊する軌道本体と、駆動源により軌道本体上を走行する走行体とから構成されるものである。
前記軌道本体は、樹脂等により成形された本体内部に独立気泡発泡体や空気室を設けたり、本体自体を独立気泡発泡体で形成することにより、水上に浮遊する構造となっている。
【０００７】
前記軌道本体の上面には、軌道部が設けられており、該軌道部に沿って走行体を自由に移動させることができる。前記軌道部には、走行体が常に軌道に沿って走行できるように誘導部分となる溝や突起を設けることが好ましい。また、軌道部又は軌道本体の走行体と当接する箇所に滑り止め加工を施すことで、走行体が軌道上で滑ることを防止できる。更に、軌道本体には、山やトンネル等を模した部材を設けて種々の背景を形成でき、走行体の容姿に合わせた構成とすることで、玩具としての興趣を増すこともできる。
【０００８】
前記走行体は、ゼンマイやモーター等の駆動源を内蔵し、該駆動源の駆動力により軌道上を走行するものである。また、前記走行体は、それ単独でも水上や水中で遊ぶことができるように浮遊する構成や、移動できる手段を設けることができる。また、防水加工を施すこともできる。
前記走行体には、軌道部に沿って走行できるように、軌道部に設けられる誘導部分の形状に合わせたガイドを形成することが好ましい。また、他の走行体と連結できるように連結部を設けたり、走行時に軌道上で滑ることを防止する滑り止めを設けることもできる。
【０００９】
また、前記軌道部の誘導部分及び走行体のガイドとして、それぞれに金属と磁性体又は、磁性体と磁性体の組合せからなる部材を配設することも可能である。
【００１０】
前記軌道本体を環状にすること（請求項２）で、重量を軽量化することができると共に、走行体が水上を走行するかのような視覚を与えることができる。更に、環の内孔を大きく設けることにより、ユーザーが内孔内部に入った状態で使用できるので、ユーザーの回りで走行体を走行させることができる。
【００１１】
前記軌道本体を分割可能に形成すること（請求項３）で、非使用時に大きなスペースを必要とせずに保管できるものとなる。また、軌道部を備えるように分割された各パーツに接続用の嵌合凹凸部や磁石等の磁性体を設けることで、これらを所望の順番で組み合わせることができ、軌道部を様々なコース形状とすることができる。
【００１２】
本発明の請求項４の水上玩具は、前記軌道本体の上面が、走行体の自重により水面に対して傾くので、走行体が軌道本体に設けられる軌道部に沿って走行することで、駆動源を有しない軌道本体も水上で興味深い動きをするものである。更に、前記軌道本体は形状に応じて様々な動きを起こすものとなり、特に、軌道本体の外周に多数の角や曲面が設けられたもの（楕円、小判型、三角形、四角形、星型等）においては、より興味深い動きをするものとなる。
前記軌道本体は、水上に浮遊する状態において、走行体の自重により軌道部上に走行体の存在する部分が他の部分に比べ水中に沈み、該部分と遠距離にある反対側の部分が他の部分に比べ浮かび上がる浮沈運動（傾動運動）を生じるものとなる。前記浮沈運動は、軌道部が軌道本体の外周に設けられたり、走行体の全長が短くなるほど大きくなる。また、前記軌道本体は軌道部のコース形状により、走行体の走行に伴い水上で浮沈運動すると共に、回動運動、揺動運動、回転運動等の動きを生じる。
【００１３】
また、前記走行体は、軌道本体に働く浮力に応じて広い範囲で重量を選択できるが、走行体が走行する際に軌道本体が水没したり、極端に傾くことを防ぐために、走行体の重量を軌道本体に働く浮力より小さくすることが好ましい。また、軌道本体に大きな浮沈運動を付与するために、走行体の重量が、軌道本体の重量の１０分の１以上から、軌道本体の重量と略等しい範囲に設定することがより好ましい。
【発明の効果】
【００１４】
本発明の請求項１により、複雑な構造を必要とせずに浮遊する軌道を走行できる興趣に富んだ水上玩具を提供できる。
【００１５】
本発明の請求項２により、軌道本体を軽量化できると共に、走行体が水上を走行するかのような視覚的な意外性を付与できる。
【００１６】
本発明の請求項３により、非使用時の保管スペースを小さくできると共に、走行体が走行する軌道部のコース形状を自由に変更できる。
【００１７】
本発明の請求項４により、浮遊する軌道本体上を走行する走行体の動きに合わせて、軌道本体も興味深い動きをする、より興趣に富んだ水上玩具を提供できる。
【発明を実施するための最良の形態】
【００１８】
本発明の実施の形態について以下の実施例により説明する。
【実施例】
【００１９】
本発明の実施例を以下の図面に従って説明する。
図１は本発明の水上玩具の外観斜視図であり、図２は図１の要部拡大断面図である。
前記水上玩具１は、軌道本体２と、走行体３から構成される。前記軌道本体２は、円形環状の樹脂成形体である中空体２２の上部に、環状凸部からなる軌道部２１が一体に成形され、前記中空体２２の内部は空洞になっており、該空洞内にフロート材となる発泡体２３が内蔵されている。また、前記軌道本体２は、分割可能に構成され、分割された軌道本体２の一片（分割片）の断面には嵌合用の凹凸部が設けられている。前記凹凸部により着脱自在になると共に、別の軌道部形状（コース形状）を備えた分割片を組み合わせることにより軌道本体２の形状や、軌道部２１のコース形状を変化させたり、距離を長くすることもできる。
【００２０】
前記軌道本体２上には、車輪３２を駆動するゼンマイユニット３１を内蔵し、下面に溝状のガイド３３を備えた車体からなる走行体３が別体で設けられ、走行体３が軌道本体２上から水中に落ちることなく軌道部２１に沿って周回走行している。前記走行体３は、操作部３１１によりゼンマイを巻き上げることで車輪３２が回転するので、ガイド３３内に軌道部２１が係合した状態で軌道部２１に沿って走行する。その際、車輪３２をゴム製としたり、軌道本体２上の車輪３２当接部に弾性部材を設けることで、ゼンマイにより回転する車輪３２が軌道本体２上で空回りすることなく走行体３が走行する。
【００２１】
図３のように、軌道部２１を溝状とした際には、ガイド３３を凸状に形成することで軌道部２１がガイド３３内に係合した状態となり、走行体３が軌道本体２上から水中に落ちることなく周回走行できる。また、図４のように、軌道部２１を平行に設けられる２本の凸部とした際には、走行体３の車輪をガイドとして併用できるので、市販の走行玩具を走らせることも可能となる。
【００２２】
また、前記軌道本体２には、トンネルや信号等の背景パーツを設けることで様々な背景を作り、玩具としての興趣を増すこともできる。更に、前記背景パーツを軌道本体２の上部や側面に着脱自在に設けることにより、ユーザーが自由に背景を設定でき、より玩具としての興趣が増すものとなる。
【００２３】
また、図５のように、軌道本体２を内孔の無い平面状に形成することにより、立体物２４や軌道部２１を形成するスペースを広く確保し、より栄美な背景や、より複雑なコース形状を設定することもできる。
【００２４】
前記走行体３の重量は、軌道本体２の重量の１０分の１以上の重さに設定されており、軌道本体２は、走行体３の重量により沈むことがない浮力を有するものである。前記重量に設定することで、軌道本体２上部の走行体３の動き（周回走行）に伴い、軌道本体２が、走行体３の自重により、軌道部２１上に走行体３が存在する側で沈み、走行体３が存在しない側で浮かぶように浮沈すると共に、水上で回転する。更に、前記軌道本体２の水と接する部分に様々な形状及び大きさの突起を形成することで、走行体３の動きにより、軌道本体２が水上を回転すると共に、前進やジグザグ走行を起こすことができるので、より複雑で興味深い動きを付与できる。また、軌道本体２の形状や軌道部２１のコース形状を変化させることによっても複雑な動きを付与できる。
【図面の簡単な説明】
【００２５】
【図１】本発明の水上玩具の一実施例を示す外観斜視図である。
【図２】図１における要部拡大断面図である。
【図３】図２の他の例を示す断面拡大図である。
【図４】図２の他の例を示す断面拡大図である。
【図５】軌道本体の他の例を示す外観斜視図である。
【符号の説明】
【００２６】
１  水上玩具
２  軌道本体
２１  軌道部
２２  中空体
２３  フロート
２４  立体物
３  走行体
３１  駆動源（ゼンマイユニット）
３１１  操作部
３２  車輪
３３  ガイド
【図１】
2005118297.tif 000003
【図２】
2005118297.tif 000004
【図３】
2005118297.tif 000005
【図４】
2005118297.tif 000006
【図５】
2005118297.tif 000007